(57)【要約】      （修正有）【課題】緊急時、旅行時等に憂いなく持ち運べる折りたたみ式の便利な携帯液体収納袋を提供する。【解決手段】液体収納袋１はファスナー８を延長し下部に閉時用ストッパー６を設けることにより液体１６の漏れを防ぐことが出来る。液漏れを気にすることなく、使い勝手が広がり水周り、枕元、棚、机、冷蔵庫など各所に置けて便利である。又、スライダー４付のファスナー８にする事により手の力弱い方にも開閉が容易に出来る。自発光性蓄光塗料部１０ａ、蛍光塗料部１０ｂを設け、ガセット部を造る事により夜間の不明、紛失、転倒をなく事ができる。【選択図】図１
0003176983.tif 000002
【実用新案登録請求の範囲】
【請求項１】
液体１６を収納するための袋２と開閉手段３とからなる液体収納袋１であって、前記開閉手段３はファスナー８と該ファスナー８を摺動するスライダー４からなり、該スライダー４の上部に開封用突起４ａが設けられ、下部に閉止用爪４ｂが設けられており、ファスナー８の一端に開時用ストッパー５が設けられており、他端にファスナー８の軌道の一端を延長することにより突出部１８が設けられ、該突出部１８の端部に閉時用ストッパー６が設けられ、前期スライダー４が開時用ストッパー５に当接した際に袋２が開封され、前記スライダー４が閉時用ストッパー６に当接した際に袋２が密封され、転倒防止手段９と目視向上手段１０と遮光、及び、熱伝導効率向上手段１２と水切れ手段１１が袋２に設けられていることを特徴とする液体収納袋。                                        
【請求項２】
前記袋２に転倒防止手段９が設けられており、該転倒防止手段９は袋２の下部にマチ部１４を設け、該マチ部１４を開くことによりガセット部１５が形成されることを特徴とする請求項１記載の液体収納袋。
【請求項３】
前記袋２に目視向上手段１０が設けられており、該目視向上手段１０は自発光性蓄光塗料部１０ａ、及び蛍光塗料部１０ｂの少なくともいずれかの一方であることを特徴とする請求項１または請求項２記載の液体収納袋。
【請求項４】
前記袋２はシート１９とアルミ箔１７を積層したものからなり、前期袋２に遮光及び熱伝導効率向上手段１２が設けられており、該遮光及び熱伝導率向上手段１２が袋２の内面又は外面に設けられたアルミ箔１７であることを特徴とする請求項１〜請求項３のいずれかに記載の液体収納袋。        
【請求項５】
前記袋２は外面にシート１９を用い、内面にアルミ箔１７が積層されており、袋２の内面に水切れ手
段１１が設けられており、該水切れ手段１１は袋２の内面に設けられたアルミ箔１７であることを特徴とする請求項１〜請求項４のいずれかに記載の液体収納袋。
【考案の詳細な説明】
【技術分野】
【０００１】
本考案は液体収納の際の液体漏れを防ぎ、紛失、転倒から守るのに役立つものであり、携帯に便利な液体収納袋に関するものである。                                      
【背景技術】
【０００２】
従来、液体の収納袋は開閉がスライダー付ファスナーとファスナー仕様ものが主流である。スライダー付ファスナーは密封力に欠け液体漏れを起こす。また、ファスナーのみ仕様の物は開閉が困難であることは知られている。また、入れ歯の収納容器としても水漏れなど同様の問題がある。これらを、解決するための液体容器としてのさまざまな工夫を施した液体容器の記載がある。下記特許文献１、特許文献２、特許文献３参照。
【先行技術文献】
【特許文献】
【０００３】
【特許文献１】実公昭６３−４８１７７号公報
【特許文献２】特開平５−９１９１１号公報
【特許文献３】実用新案登録第３１５９３１２号公報
【考案の概要】
【考案が解決しようとする課題】
【０００４】
しかしながら、上記、実公昭６３−４８１７７号公報においてはスライダー付ファスナーであるが、ファスナーの端部がせり上がった構造ゆえ、スライダー部が前記せり上がり部に来るので使い勝手が悪く壊れ易い（特許文献１参照）。特開平５−９１９１１号公報はラッチ構造のファスナーであるため密封はされる、閉じ用端部に来たときラッチ構造が複雑であるため弱者の方には使用しにくい欠点がある。（特許文献２参照）実用新案登録第３１５９３１２号公報は、ファスナーの開封を手で行う構造なので手の力が弱い方は開閉に困難きたす、ファスナー付入れ歯収納袋の記載がある（特許文献３参照）。従来のスライダー付ファスナーにおいては、スライダーの開封用突起と閉止用爪との距離差がファスナー密封を妨げている。本考案の液体収納袋は袋の開閉はスライダー付ファスナーで行う、スライダー付ファスナーにおいてファスナーの軌道を突出する構造にし、突出部ファスナー上部の割り込み案内ガイドを開け放した状態で突出部の下部のみを塞ぐことにより、完全密封が可能になり液体漏れをなくした液体収納袋である。緊急時の液体収納袋の紛失、不明を防ぐため自発光性蓄光塗料部、蛍光塗料部を付し目視向上はかる。また、袋内部にアルミ箔を張ることにより液体収納袋の遮光、及び熱伝導効率を向上させると同時に液体収納袋の洗浄のため水切れを良くする、このようなことを解決することを目的とする。                                                                        
【課題を解決するための手段】
【０００５】
本考案の請求項１は液体１６を収納するための袋２と開閉手段３とからなる液体収納袋１であって、前記開閉手段３はファスナー８と該ファスナー８を摺動するスライダー４からなり、該スライダー４の上部に開封用突起４ａが設けられ、下部に閉止用爪４ｂが設けられており、ファスナー８の一端に開時用ストッパー５が設けられており、他端にファスナー８の軌道の一端を延長することにより突出部１８が設けられ、該突出部１８の端部に閉時用ストッパー６が設けられ、前期スライダー４が開時用ストッパー５に当接した際に袋２が開封され、前記スライダー４が閉時用ストッパー６に当接した際に袋２が密封され、転倒防止手段９と目視向上手段１０と遮光、及び、熱伝導効率向上手段１２と水切れ手段１１が袋２に設けられていることを特徴とする。係る構成によれば袋２密封度を高め液体１６漏れを防ぎ、袋２の開閉が容易になり、転倒を防ぐことを可能にし、夜間の目視性が向上し、また、袋２にアルミ箔１７を貼ることにより遮光、及び、熱伝導効率向上効果がある、このアルミ箔１７を貼ることにより袋内部２ａの水切れを良くし衛生面の向上に役立っている。                        
【０００６】
本考案の請求項２は前記袋２に転倒防止手段９が設けられており、該転倒防止手段９は袋２の下部にマチ部１４を設け、該マチ部１４を開くことによりガセット部１５が形成されることを特徴とする。係る構成によれば、直立姿勢安定を求め液体収納袋１の転倒を防止する効果がある。
【０００７】
本考案の請求項３は前記袋２に目視向上手段１０が設けられており、該目視向上手段１０は自発光性蓄光塗料部１０ａ、及び蛍光塗料部１０ｂの少なくともいずれかの一方であることを特徴とする。係る構成によれば、夜の目視効果の向上に役立つている。
【０００８】
本考案の請求項４は前記袋２はシート１９とアルミ箔１７を積層したものからなり、前期袋２に遮光及び熱伝導効率向上手段１２が設けられており、該遮光及び熱伝導率向上手段１２が袋２の内面又は外面に設けられたアルミ箔１７であることを特徴とする。係る構成によれば袋２の遮光及び熱伝導効率向上に役立つている。
【０００９】
本考案の請求項５は前記袋２は外面にシート１９を用い、内面にアルミ箔１７が積層されており、袋２の内面に水切れ手段１１が設けられており、該水切れ手段１１は袋２の内面に設けられたアルミ箔１７であることを特徴とする。係る構成によれば袋２の水切れ効果を上げている。                        
【００１０】
本考案によれば、液体収納袋１のファスナー８のみを袋２外にＢ点３ｂよりＡ点３ｃまで突出する。突出部１８のファスナー８上部の割り込み案内ガイド７を開け放した状態で突出部１８の下部のみを塞ぐことにより閉時用ストッパー６が設けられる。スライダー４をＣ点３ａからＡ点３ｃに向けてスライドさせていくと、Ｂ点３ｂからＡ点３ｃ間ではスライダー４の開封用突起４ａのみが割り込み案内ガイド７に案内され、Ａ点３ｃに向かい割り込み、スライダー４の閉止用爪４ｂはＢ点３ｂの閉時用ストッパー６で止まる、Ｃ点３ａからＢ点３ｂの袋２は完全に密封状態になる。また、逆にＡ点３ｃからＣ点３ａにむけてスライドさせると割り込み案内ガイド７の案内によりスムーズに開封状態となる。袋２に液体１６を注ぐと袋底部１３のマチ部１４が開きガセツト部１５を形成する、袋底部１３を直立姿勢に安定させウエイトを埋設したのと同じ効果で転倒を防ぐ。紛失、不明を防ぐために自発行性蓄光塗料部１０ａ、蛍光塗料部１０ｂを付し夜間の目視効果あげるのに役立つている。液体収納袋１の内面及び外面にアルミ箔１７を貼る事により液体収納袋１の遮光及び熱伝導効率を上げるの役立つている、また、液体収納袋１の内面にアルミ箔１７を貼ることで袋内部の水、又は液体１６を流した後の水切れを良くするのにも役立っている。                                                                        
【考案の効果】
【００１１】
本考案によれば、液体収納袋１のファスナー８を突出させ、Ｂ点３ｂからＡ点３ｃに閉時用ストパー６を設けることにより袋２の密封力が高まり袋内部２ａの液漏れがなくなる。液漏れを気にせず袋２の置き場所が拡大し、机、棚、冷蔵庫、携帯用にバックの中と持ち運びにも便利である。また、液体１６を入れるので袋底部１３にマチ１４を設け直立姿勢を保つことで転倒を防ぐ事ができる。また、袋２に自発光性蓄光塗料部１０ａ、蛍光塗料部１０ｂなどを施し夜間紛失、不明を無し緊急時持ち出し、旅行用などにも便利である。スライダー４でスライドさせるので手の力の弱い方にも開閉が容易にできる。袋内部２ａにアルミ箔１７を貼る事により水切れを良くする。同時に遮光及び熱伝導効率を上げ冷凍庫のチルド用に、解凍用にと利用範囲が広がり便利な優れものである。            
【図面の簡単な説明】
【００１２】
【図１】図１は液体収納袋液の正面図。
【図２】図２は液体収納袋ファスナー拡大斜視図。
【図３】図３はＢ点における液体収納袋のファスナー拡大断面図。
【図４】図４は液体収納袋の実施形態を示す説明図。
【図５】図５は液体収納袋の折りたたんだ形態を示す説明図。
【図６】図６は袋を構成するシートの断面図である。
【考案を実施するための形態】
【００１３】
本考案の詳細を以下図面に従って詳しく述べる。液体収納１は、図１に示すように、液体１６を収納するためのスライダー４付の液体収納袋１であって液体収納袋１は、袋２と液体漏れ防止開閉手段３と転倒防止手段９と目視向上手段１０と遮光及び熱伝導効率向上手段１２と袋２の水切れ手段１１が設けられていることを特徴とするものである。係る構成によれば、水漏れ、液体１３漏れ、及び転倒を防止する。自発光性蓄光塗料部１０ａ、蛍光塗料部１０ｂを塗付することで夜間の目視性が向上する。該袋２の遮光及び熱伝導効率向上手段１２は袋２にアルミ箔を貼ることで遮光及び熱伝導効率を上げるのに役立っている。水切れ手段１１は袋内部２ａにアルミ箔１７などを貼ることで可能にする。
【００１４】
本考案の詳細を以下図面に従って詳しく述べる。図１に示すように袋２のファスナー８をＢ点３ｂからＡ点３ｃまで延長する。Ｂ点３ｂとＡ点３ｃ間のファスナー８突起部１８はファスナー８下部にのみ閉時用ストッパー６を設け、上部は開封用突起４ａのみを割り込ませ割り込み案内ガイド７を開放した状態にする。スライダー４をＣ点３ａからＡ点３ｃに向けてスライドさせると、Ｂ点３ｂとＡ点３ｃ間でファスナー８上部は開放され、スライダー４の開封用突起４ａのみが案内され突起部１８に入り込む。閉じ用爪４ｂはＢ点３ｂの閉時用ストッパー６で止まり、袋２は完全に密封され液体１６漏れを防ぐ。上記で述べたように、スライダー４の開封用突起４ａと閉じ用爪４ｂとの距離差がファスナー８の密封を妨げ水漏れを起しているのでこの方法により解決した。Ｂ点３ｂにおいて完全に密封された正面図である。
【００１５】
本考案の詳細を以下図面に従って詳しく述べる。図２に示すようにスライダー４付ファスナー８がスライドしている状態である。ファスナー８上部の割り込み案内ガイド７により開封用突起４ａが案内され、閉止用爪４ｂによりファスナー８が閉じる状態を示す拡大斜視図で断面図である。
【００１６】
本考案の詳細を以下図面に従って詳しく述べる。図３に示すようにＢ点３ｂよりＡ点３ｃにスラダー４移動中のファスナー８の状態である。ファスナー８上部は割り込み案内ガイド７により開封用突起４ａがＡ点３ｃに向かって割り込み、ファスナー８が開いた状態である。ファスナー８下部はＢ点３ｂ於いて閉時用ストッパー６で閉じた状態を示した拡大断面図である。
【００１７】
本考案の詳細を以下図面に従って詳しく述べる。図４に示すように袋２の上部より液体１６を注入した状態である。液体１６を注入することにより袋底部１３のマチ部１４が広がり、ガセット部１５が形成され袋底部１３が安定した状態の使用実施図である。
【００１８】
本考案の詳細を以下図面に従って詳しく述べる。図５に示すように液体収納袋１の使用後の状態である。袋内部２ａの内容物を出し、袋底部１３のマチ部１４を平らに折り、液体収納袋１がたたまれた状態の実施図である。また、袋２の一部に自発行性蓄光塗料部１０ａ、及び蛍光塗料部１０ｂを付した実施例でもある。  
【００１９】
本考案の詳細を以下図面に従って詳しく述べる。図６に示すように、本願発明の液体収納袋１を構成する袋２は内面又は外面にシート１９を用い、内面又は外面にはアルミ箔１７を積層した材質のものが好適である。前記シート１９はホリエチレン、ポリエステル、塩ビ、プラスチックフィルム、他に耐水紙，厚手の布、耐水性不織布などが例示できるがこれらに限定されるものではない。
【００２０】
また、図４に示すように、袋２に液体１６を注ぎ込むと袋２のマチ部１４が広がり、袋底部１３となり直立姿勢を安定させるウエイトを埋設したのと同じ効果で転倒を防げる。たとえば、入れ歯収納袋として用いるとき、液体１６漏れ、転倒を防止することにより、置き場が従来の水周り場所ではなく、枕元、机の上等手の届く範囲に保管できることにより、非常時の持ち出しの際手元近くに置くことが出来るので便利である。携帯液体収納袋１の置き場所の制限がなくなり自由に保管出来ると同時に紛失、不明なども起こりうる夜間緊急持ち出しが必要のとき、位置確認が出来るように自発光性蓄光塗料部１０ａ蛍光塗料部１０ｂを付しスムーズに置き場所の確認ができ便利である。
【００２１】
前記したように水切れを良くする手段を設けるため、袋内部２ａにアルミ箔１７を貼る事で水切れを良くする。また、液体収納袋１の袋２の内面又は外面にアルミ箔１７を貼ることにより、熱の伝導、光の遮断が良くなる。このことにより冷凍庫のチルド用袋、解凍用袋や、弁当用の袋など大いに用途が広がる。また、袋の形、大きさ等は自由である。
【００２２】
液体収納袋１の使用例として入れ歯収納を勧める。入れ歯は就寝時には外し溶液中で一晩消毒し、翌朝着用して使用している。旅行先などでもコップを入歯容器の代わりにしたり、紙にくるみバックに入れるなど不衛生であり、また、紛失することが多々ある。入歯の紛失はその後の生活に支障をきたし大変である。使用後の液体収納袋１は袋内部２ａの内容物を取り出し、折りたたみ、バック等に携帯用として保管できるので便利である。また、薬、装飾品、小物入れ等にも用いることができる。液体収納袋１は透明のものと不透明のものが必要である。袋２は６図に示すようにシート１９とアルミ箔１７が積層されたものからなり、遮光及び熱伝導効率向上手段１２のために、袋２の内面又は外面にアルミ泊１７が設けられている。また、袋２は図６に示すように袋２のシート１９の内面にアルミ箔１７が積層された構成であり、このため水切れが良くなる。                      
【符号の説明】
【００２３】
１  液体収納袋
２  袋
２ａ  袋内部                                                                    ３  開閉手段                                
３ａ  Ｃ点  
３ｂ  Ｂ点
３ｃ  Ａ点                                                                      ４  スライダー
４ａ  開封用突起
４ｂ  閉止用爪
５  開時用ストッパー
６  閉時用ストッパー
７  割り込み案内ガイド
８  ファスナー
９  転倒防止手段
１０  目視向上手段
１０ａ  自発光性蓄光塗料部                                                      １０ｂ  蛍光塗料部                                                              １１  水切れ手段
１２  遮光及び熱伝導効率向上手段
１３  袋底部
１４  マチ部
１５  ガセット部
１６  液体
１７  アルミ箔
１８  突出部
１９  シート
【図１】
0003176983.tif 000003
【図２】
0003176983.tif 000004
【図３】
0003176983.tif 000005
【図４】
0003176983.tif 000006
【図５】
0003176983.tif 000007
【図６】
0003176983.tif 000008